(57)【要約】【課題】吊るために必要な材料が少なく縫製も簡単な、土のう袋およびそれを用いた土のうの製作方法を提供する。【解決手段】土のう袋１０は、土のう袋１０の内側に、袋底部１６の袋材と一体化されたロープ１３を設け、このロープ１３を用いて、中詰め材を充填した土のう袋を吊り下げるようにした。【選択図】図２
2008063837.tif 000002
【特許請求の範囲】
【請求項１】
土のう袋の内側に、袋底部の袋材と一体化されたロープを設け、このロープを用いて、中詰め材を充填した土のう袋を吊るようにしたことを特徴とする、土のう袋。
【請求項２】
吊りロープが合成繊維製又は天然繊維製のロープで無端状または両端部に輪を有することを特徴とする請求項１に記載の土のう袋。
【請求項３】
請求項１又は２のいずれか１項に記載された土のう袋から吊りロープを袋外部に仮出しした状態で土のう袋に、中詰め材を充填した後、吊りロープを土のう袋開口部より袋外に突出させ、開口部を紐で括って閉じる土のう製作方法。
【請求項４】
開口部と底部とを有する土のう袋であって、
前記開口部には、前記開口部を閉じるための第１ロープが設けられ、
前記底部には、前記底部を絞るための第２ロープが設けられ、
前記第２ロープを当該土のう袋を吊るための吊りロープとして使用する、土のう袋。
【請求項５】
前記第２ロープは無端状または、両端部に輪を有する、請求項４に記載の土のう袋。
【請求項６】
請求項４または５に記載の土のう袋を反転して、開口部から、反転した土のう袋の内部に中詰め材を充填し、第２ロープを開口部から取り出し、開口部を第１ロープで閉じることにより、土のうを製作する、土のうの製作方法。
【発明の詳細な説明】
【技術分野】
【０００１】
本発明は合成繊維や天然繊維製の土のう袋で砂、土砂などの中詰め材を充填し、重し、土留め、せき止めやコンテナバッグなどとして使用する土のう袋およびこの土のう袋を用いた土のうの製作方法に関する。
【背景技術】
【０００２】
従来の土のう袋がたとえば、特開２００３−１０５７３４号公報（特許文献１）や、特開２００６−４５８８９号公報（特許文献２）に開示されている。図８は、これらの公報に開示された土のう袋を模式化した図である。図８を参照して、従来の土のう袋１００は、土砂等の中詰材を収容する立方体形状の土のう袋本体１０１と、土のう袋本体１０１を吊るための吊りベルト１０２とが設けられている。
【特許文献１】特開２００３−１０５７３４号公報（要約）
【特許文献２】特開２００６−４５８８９号公報（要約）
【発明の開示】
【発明が解決しようとする課題】
【０００３】
従来の土のう袋は、袋の外側に取り付けられた吊りベルトで吊られているが、４点吊り、６点吊りなど吊りベルトの縫製に手間取る。通称１トン土のうと言われるような質量の大きい土のうにおいては、土のう袋の外側に取り付けたベルトで吊られているが、ベルトの取り付けには縫製する手間がかかり、質量が大きくなるほどベルトの幅、厚さ、本数も増大し、ベルトに使用する材料も多くなるという問題があった。
【０００４】
この発明は、上記のような問題点に鑑みてなされたもので、吊るために必要な材料が少なく、縫製も簡単な、土のう袋およびそれを用いた土のうの製作方法を提供することを目的とする。
【課題を解決するための手段】
【０００５】
この発明に係る土のう袋は、土のう袋の内側に、袋底部の袋材と一体化されたロープを設け、このロープを用いて、中詰め材を充填した土のう袋を吊るようにしたことを特徴とする。
【０００６】
好ましくは、吊りロープが合成繊維製又は天然繊維製のロープで無端状、または、両端部に輪を有している。
【０００７】
この発明の他の局面においては、土のうの製作方法は、上記土のう袋から吊りロープを袋外に仮だしした状態で、土のう袋に、中詰め材を充填した後、吊りロープを土のう袋開口部より袋外に突出させ、開口部を紐で括って閉じる。
【０００８】
この発明のさらに他の局面においては、土のう袋は、開口部と底部とを有する。土のう袋の開口部には、開口部を閉じるための第１ロープが設けられ、底部には、底部を絞るための第２ロープが設けられ、第２ロープを当該土のう袋を吊るための吊りロープとして使用する。
【０００９】
第２ロープは無端状、または、両端部に輪を有してもよい。
【００１０】
この発明のさらに他の局面においては、土のうの製作方法は、上記の土のう袋を反転して、開口部から、反転した土のう袋の内部に中詰め材を充填し、第２ロープを開口部から取り出し、開口部を第１ロープで閉じることにより、土のうを製作する。
【発明の効果】
【００１１】
土のう袋の内側に袋底部の袋材と一体化されたロープを設け、このロープで中詰め材を充填した土のう袋を吊るようにした。したがって、土のう袋の内側に取り付けられた吊りロープで土のう袋が吊られるので、土のうの質量が大きくなっても、質量に合わせて適合する強さのロープを選定することにより、常に１本のロープで吊ることが出来る。
【００１２】
その結果、吊るために必要な材料が少なく、縫製も簡単な、土のう袋を提供できる。
【発明を実施するための最良の形態】
【００１３】
本発明の一実施の形態を、図面を参照して説明する。図１は、この発明の一実施の形態に係る土のう袋の全体構成を示す図である。図１を参照して、土のう袋１０は合成繊維又は天然繊維製の織物を縫製して作成される。土のう袋１０は、開口部１４と、その反対側に設けられた一直線状の袋底部１６とを含む。開口部１４の周囲には、端部を縫製することによって通路１１が形成され、通路１１には閉じ紐（第１ロープ）１２が通されている。この閉じ紐１２を引くことによって開口部１４は閉じられる。
【００１４】
袋底部１６にも通路１５が設けられ、通路１５には、無端状の吊りロープ（第２ロープ）１３が通される。吊りロープ１３に添って袋底部１６を絞り巾着状態にし、その状態で裏返して図２のように吊りロープ１３を袋の内側に入れる。これによって、巾着絞り部１９が形成される。
【００１５】
なお、図６に示すように、通路１５にスリット部１７を付与し、スリット部１７から吊りロープ１３を引き出し可能に構成してもよい。そうすれば、袋底部１６の両端が絞られて密着して巾着状態となるので好ましい。
【００１６】
図３は、この実施の形態に係る土のう袋１０を用いて土のうを製作する方法を示す図である。図３を参照して、土のうを製作するための製作枠１８に土のう袋１０を入れ、中詰め材（図示なし）として砂や土砂などを充填する。ここでは、製作枠１８は上下に開口部を有する直方体状である。このように上下に開口部を設けることで、製作枠１８自体を取り外すこともでき、また土のう２０を取り出してもよい。この時、吊りロープ１３は上開口部１４から上に出しておく。中詰め材を充填後、開口部１４を閉じ紐１２で括って閉じる。この状態を図４に示す。この後、図示のないクレーンのフックに吊りロープ１３を引っ掛けて、土のう２０を吊り上げて製作枠１８から取り出す。この場合、製作枠１８をクレーンで吊り上げ、土のう２０を取り出してもよい。図５（中詰め材は図示なし）に土のう２０を吊り上げた状態を示す。
【００１７】
吊り上げ時に袋底部１６を構成する底部袋材が底部中央に集中し、荷重が土のう袋１０全体に均等に掛かるので、従来の袋外側のベルトで吊る場合のように、袋材に局部的に荷重がかかることがない。
【００１８】
次に、具体的な土のう袋１０の仕様等について説明する。土のう袋１０に使用する繊維としては、１６７０ｄｔｅｘのポリエステル長繊維を使用した、タテ、ヨコとも２０本／インチの密度の平織りで引張強度４，４００Ｎ／５ｃｍの織物、巾１．８ｍ×長さ５．４ｍを用いて５．４ｍの辺を二つ折にして上部開口部が巾１．８ｍ、縁辺の長さが２．７ｍの袋を作成した。
【００１９】
次に図１に示すように、開口端部２０ｃｍを二つ折りにして縫製し通路１１を作り、通路１１にナイロン繊維製ロープ（φ６ｍｍ）の閉じ紐１２を挿通した。
【００２０】
吊りロープ１３の取り付けは、折り返して二つ折りにした袋底部１６の１０ｃｍ巾をミシンで縫製して通路１５を形成し、その通路１５中に吊りロープ１３としてポリエステル繊維製ロープ（φ２２ｍｍ、長さ４ｍ）を挿通し、無端状に加工した。
【００２１】
次に吊りロープ１３に添って袋底部１６の通路１５を巾着絞りし、その状態で袋を裏返して該巾着絞り部１９を袋の内側に入れた（図２参照）。
【００２２】
土のう袋１０を巾１．１ｍ×長さ１．１ｍ×高さ１．１ｍの中詰め材充填用の金属製の製作枠１８に広げて入れ、吊りロープ１３は製作枠１８の上部に金属棒２１を渡し、仮止め用紐（図示なし）で仮止めした。この状態で土砂約１ｍ３を充填し、充填後に仮止め用紐を金属棒２１から解いて吊りロープ１３を開口部１４の外側に出し、開口部１４を閉じ紐１２で括って閉じた。この後、クレーンで吊りロープ１３を吊って土のうを取り出した。
【００２３】
本発明の土のう袋は、ポリエステル、ポリアミド、ポリオレフィン、ポリビニルホルマール、ポリ乳酸などの合成繊維又は麻、ジュートなどの天然繊維で織られた織物および撚られたロープで構成される。
【００２４】
この土のう袋１０に、砂や土砂などの中詰め材を充填して土のうを製作する。なお、この実施の形態においては土のう袋とは、中詰め材を充填していないものをいい、土のうとは、中詰め材を充填したものを言う。
【００２５】
次にこの発明の他の実施の形態について説明する。図７はこの発明の他の実施の形態に係る土のう袋３０を示す全体図である。図７を参照して、この実施の形態における土のう袋３０においては一直線状の袋底部１６に設けられた通路１５には、両端部に輪２４ａ，２４ｂを有する吊りロープ２３が通される。この吊りロープ２３においては、使用時には、図７において矢印Ａで示すように、一端の輪２４ａを他端の輪２４ｂに通して、輪２４ａを吊り部として使用する。また、輪２４ａ，２４ｂを吊り具に掛けてもよい。この点以外については、先の実施の形態と同様であるので、その説明は省略する。
【００２６】
次にこの発明のさらに他の実施の形態について説明する。図９はこの発明のさらに他の実施の形態に係る土のう袋４０を示す図である。図９を参照して、この実施の形態における土のう袋４０においては一直線状の袋底部１６に設けられた通路１５には、二重になった吊りロープ１３ａ，１３ｂが通される。この吊りロープ１３ａ，１３ｂにおいては、ロープ１３ａを引くことによって、ロープ１３ｂで土のう袋４０の下端部を絞ることができる。この点以外については、先の実施の形態と同様であるので、その説明は省略する。
【００２７】
図１０は、この場合における土のう袋４０の開口部１４の通路１１を通る閉じ紐の他の例を示す図である。図１０を参照して、この実施の形態においては、閉じ紐として、それぞれが無端の紐１２ａ，１２ｂの２本を設けた。閉じ紐１２ａ，１２ｂを個別に引っ張ることによって、容易に開口部１４を閉じることが可能になる。
【００２８】
なお、このような閉じ紐２本を設けた開口部は、上記した実施の形態において用いてもよい。
【００２９】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３０】
【図１】縫製加工され、無端状の吊りロープ及び閉じ紐を付与した土のう袋を示す図である。
【図２】図１の土のう袋を裏返しにした状態を示す図である。
【図３】土のうの製作方法を示す図である。
【図４】製作枠に土のう袋を入れ、中詰め材を充填し、閉じ紐で縛った状態を示す図である。
【図５】中詰め材を充填し、閉じ紐で縛った土のうを吊り上げた状態を示す。
【図６】土のう袋に吊りロープを引き出すスリット部を設けた状態を示す図である。
【図７】他の実施の形態に係る土のう袋を示す図である。
【図８】従来の吊り部がベルトである土のう袋を示す図である。
【図９】さらに他の実施の形態に係る土のう袋を示す図である。
【図１０】土のう袋の開口部の他の実施の形態を示す図である。
【符号の説明】
【００３１】
１０，３０，４０  土のう袋、１１，１５  通路、１２  閉じ紐、１３  吊りロープ、１４  開口部、１６  袋底部、１８  製作枠、２０  土のう。
【図１】
2008063837.tif 000003
【図２】
2008063837.tif 000004
【図３】
2008063837.tif 000005
【図４】
2008063837.tif 000006
【図５】
2008063837.tif 000007
【図６】
2008063837.tif 000008
【図７】
2008063837.tif 000009
【図８】
2008063837.tif 000010
【図９】
2008063837.tif 000011
【図１０】
2008063837.tif 000012